(57)【要約】【課題】極めて軽量かつコンパクトな器具のみを用いて、ケーブル用管路の管路口を塞ぐ止水栓を簡単に取り外せるようにすること。【解決手段】地下ケーブル１１を敷設するケーブル用管路の管路口３２を塞ぐ止水栓５１の周囲に設けられている複数個のボルト５２のうち、止水栓５１の中心を挟んだ少なくとも二箇所のボルト５２のそれぞれに引抜き工具１１１を装着して引っ張る。引抜き工具１１１は、ワイヤ１１３の一端側に輪形状の把持部１１２を有して他端側にナット１１４を固定する軽量かつコンパクトな器具で、全て全長が同一長に揃えられているため、止水栓５１のボルト５２にナット１１４を捩子止めして同時に引っ張れば、止水栓５１をその軸線に沿って真直ぐに引っ張って脱落させることができる。【選択図】図６
2012080687.tif 000002
【特許請求の範囲】
【請求項１】
地下ケーブルを敷設するケーブル用管路の管路口を塞ぐ止水栓の周囲に設けられている複数個のボルトのうち、前記止水栓の中心を挟んだ少なくとも二箇所の前記ボルトに、ワイヤの一端側に輪形状の把持部を有して他端側にナットを固定する全長が同一長に揃えられた複数本の引抜き工具の前記ナットを捩子止めする工程と、
前記少なくとも二箇所のボルトにそれぞれ前記ナットを捩子止めした前記複数本の引抜き工具の前記把持部を一緒に掴んで引っ張り、前記止水栓に抜け方向の力を加える工程と、
を備えることを特徴とする止水栓の取り外し方法。
【請求項２】
前記止水栓のボルトに捩子止めされる捩子孔の径が異なる複数種類のアダプタから選択された一のアダプタを前記引抜き工具のナットに装着し、前記止水栓の区々異なるボルト径に適合させるようにした、
ことを特徴とする請求項１に記載の止水栓の取り外し方法。
【請求項３】
前記止水栓のボルトにねじ止めされる捩子孔を有して軸方向長さが異なる複数種類のアダプタから選択された一のアダプタを前記引抜き工具のナットに装着し、使用に伴う伸びによって区々異なる前記引抜き工具の全長を同一の長さに揃えるようにした、
ことを特徴とする請求項１に記載の止水栓の取り外し方法。
【請求項４】
前記止水栓のボルトに捩子止めされる捩子孔の径と軸方向長さとが異なる複数種類のアダプタから選択された一のアダプタを前記引抜き工具のナットに装着し、前記止水栓の区々異なるボルト径に適合させ、かつ、使用に伴う伸びによって区々異なる前記引抜き工具の全長を同一の長さに揃えるようにした、
ことを特徴とする請求項１に記載の止水栓の取り外し方法。
【請求項５】
一端に輪形状の把持部を有するワイヤの他端側に、地下ケーブルを敷設するケーブル用管路の管路口を塞ぐ止水栓の周囲に設けられているボルトに捩子止めされるナットを固定した引抜き工具を、全長を同一長に揃えた複数本を一組にして設けた、
ことを特徴とする引抜き工具セット。
【請求項６】
前記引抜き工具のナットに装着され、前記止水栓のボルトに捩子止めされる捩子孔の径が異なる複数種類のアダプタを備える、
ことを特徴とする請求項５に記載の引抜き工具セット。
【請求項７】
前記引抜き工具のナットに装着され、前記止水栓のボルトにねじ止めされる捩子孔を有して軸方向長さが異なる複数種類のアダプタを備える、
ことを特徴とする請求項５に記載の引抜き工具セット。
【請求項８】
前記引抜き工具のナットに装着され、前記止水栓のボルトに捩子止めされる捩子孔の径と軸方向長さとが異なる複数種類のアダプタを備える、
ことを特徴とする請求項５に記載の引抜き工具セット。
【発明の詳細な説明】
【技術分野】
【０００１】
本発明は、送電線や通信線等の地下ケーブルを敷設するケーブル用管路の管路口を塞ぐ止水栓を取り外すための取り外し方法、および、この方法を実施するに際して用いる引抜き工具セットに関する。
【背景技術】
【０００２】
わが国における地中送電線化の歴史は、地域や個別事情等によって異なるが、概ね、３０年程度である。欧米諸国に比べると、はるかに歴史が浅く、特段のメンテナンスをせずに済んできた。これに対して、そろそろ送電線の交換時期なので、実際に作業をしたみたところ、止水栓の取り外しに難渋した。この辺の事情について、以下に説明する。
【０００３】
地中に埋設する送電線や通信線は、地下ケーブルとしてケーブル用管路に敷設される。ケーブル用管路は、所定間隔をおいて設置されているマンホール間を連絡するように配され、マンホールの壁面に管路口として開口している。マンホール内においては、内部に侵入した雨水がケーブル用管路内に流入して滞留するのを防ぐため、地下ケーブルを通した状態の管路口を止水栓でシールするようにしている。
【０００４】
止水栓は、一般的に、一対のプレートで弾性変形部材（例えば、ゴム）をサンドイッチした構造のもので、中央部に送電線を通すことができるように割環状構造をなしている。一対のプレートには、弾性変形部材を貫通させるようにして複数本のボルトが通され、ナットで止められている。一方のプレートに配したナットを締めこむと、一対のプレートが近接して弾性変形部材を潰し、その外径を増大させる。そこで、ナットがマンホールの側を向くようにして割部から送電線を差し込み中央部に位置付けた止水栓を、送電線が飛び出すマンホール壁面の管路口に差し込み、ナットを締め付ける。すると、弾性変形部材が潰されてその外径が広がり、管路口に止水栓を強固に装着することができる。これにより、地下ケーブルを通した状態の管路口を止水栓でシールすることができる。
【０００５】
このような止水栓を取り外すには、止水栓の対角線上に位置する少なくとも二つのボルトからナットを取り外し、ナットを取り外したボルトにそれぞれアイボルトを装着し、チェーンブロックによってそれらのアイボルトを引っ張る。この際、複数個のアイボルトを同時に同じだけの力で引っ張らないと、止水栓の軸線に対して弾性変形部材の引っ張り方向がずれ、ケーブル用管路の内周との抵抗が増大して取り出しにくくなる。ここが、止水栓の取り外しに際して難しいところである。
【０００６】
このような止水栓の取り外しについては、特許文献１、２に記載されているような装置がある。これらの装置は、いずれも、止水栓の軸線に沿わせて真直ぐに止水栓を引っ張ることができるように工夫を凝らした装置である。特許文献２に記載された装置は、特許文献１に記載された装置の改良版である。
【先行技術文献】
【特許文献】
【０００７】
【特許文献１】特開２００４−０２３８５５公報
【特許文献２】特開２００５−２６９７４９公報
【発明の概要】
【発明が解決しようとする課題】
【０００８】
前述したように、止水栓の取り外しを簡単に行なうのは難しい。
これに対して、特許文献１、２に記載されているような装置を使用すれば、止水栓を比較的容易に取り外すことができるものと思われる。しかし、そのような装置は大掛かりで、マンホールのような狭い空間では、些か取り扱い性が悪い。この点については、特許文献２でも、特許文献１に記載された装置の取り扱いの悪さについて言及しているものの、特許文献２に記載された装置自体もけっして手軽なものではなく、抜本的な問題解消にまで至っていない。
本発明は、このような点に鑑みなされたもので、極めて軽量かつコンパクトな器具のみを用いて、ケーブル用管路の管路口を塞ぐ止水栓を簡単に取り外せるようにすることを目的とする。
【課題を解決するための手段】
【０００９】
本発明の止水栓の取り外し方法は、地下ケーブルを敷設するケーブル用管路の管路口を塞ぐ止水栓の周囲に設けられている複数個のボルトのうち、前記止水栓の中心を挟んだ少なくとも二箇所の前記ボルトに、一端に輪形状の把持部を有するワイヤの他端側に前記ボルトに捩子止めされるナットを固定した複数本の引抜き工具の前記ナットを捩子止めする工程と、前記少なくとも二箇所のボルトにそれぞれ前記ナットを捩子止めした前記複数本の引抜き工具の前記把持部を一緒に掴んで引っ張り、前記止水栓に抜け方向への力を加える工程と、を備えることによって上記課題を解決する。
【００１０】
本発明の引抜き工具セットは、一端に輪形状の把持部を有するワイヤの他端側に、地下ケーブルを敷設するケーブル用管路の管路口を塞ぐ止水栓の周囲に設けられているボルトに捩子止めされるナットを固定した引抜き工具を、全長を揃えて複数本で一組にしたことによって、上記課題を解決する。
【発明の効果】
【００１１】
本発明によれば、全ての引抜き工具の全長が同一長に揃えられているため、止水栓のボルトにナットを捩子止めして同時に引っ張れば、止水栓をその軸線に沿って真直ぐに引っ張ることができ、したがって、ワイヤの一端側に輪形状の把持部を有して他端側にナットを固定するだけという軽量かつコンパクトな引抜き工具からなる引抜き工具セットのみを用いて、ケーブル用管路の管路口を塞ぐ止水栓を簡単に取り外すことができ、その作業性を大幅に向上させることができる。
【図面の簡単な説明】
【００１２】
【図１】実施の一形態として、止水栓を取り外すため引抜き工具を示す斜視図。
【図２】マンホール内において地下ケーブルが敷設されている状態の一例を示す斜視図。
【図３】管路口から延びる地下ケーブルの一例を示す斜視図。
【図４】管路口から延びる地下ケーブルに止水栓を装着した状態を示す斜視図。
【図５】地下ケーブルを引き出す管路口を止水栓で塞いだ状態を示す斜視図。
【図６】本実施の形態の止水栓の取り外し方法を示す斜視図。
【発明を実施するための形態】
【００１３】
実施の一形態を図面に基づいて説明する。本実施の形態は、地中送電線である地下ケーブル１１を地中に敷設するケーブル用管路３１の管路口３２を塞いでいる止水栓５１を取り外すための方法、およびこの方法で用いる引抜き工具セット１０１に関するものである（図１〜図６参照）。
【００１４】
図１は、止水栓５１（図２参照）を取り外すため引抜き工具１１１を示す斜視図である。工具１１１は、一端側に輪形状の把持部１１２を有するワイヤ１１３を主体とし、このワイヤ１１３の他端側にナット１１４を固定してなる。ナット１１４には、選択的にアダプタ１３１を取り付けることができる。
【００１５】
引抜き工具１１１の主体をなすワイヤ１１３は、複数の金属細線を拠ることによって一本の線に形成されたもので、ある程度の柔軟性を有している。ワイヤ１１３は、一端側を輪形状に屈曲させた上で止着部１１５で止め、この輪形状の部分を把持部１１２としている。止着部１１５は、一例として、ワイヤ１１３を二重にしてかしめる金属片である。かしめだけによって強度が維持されない場合には、溶接等を併用して把持部１１２を形成する輪形状の強度を持たせるようにしてもよい。
【００１６】
ワイヤ１１３に固定されているナット１１４は、六角柱形状のバルク金属体であり、本体捩子孔１１６を端部に形成している。この本体捩子孔１１６は、後述する止水栓５１に設けられたボルト５２と螺合する。もっとも、ボルト５２に螺合できるのは、ボルト５２のボルト径とナット１１４の本体捩子孔１１６の孔径とが一致している場合であって、両径が不一致の場合、ボルト５２にナット１１４を捩子止めすることができない。そこで、引抜き工具１１１は、アダプタ１３１を設けている。
【００１７】
アダプタ１３１は、ナット１１４と共通の六角柱形状のバルク金属体であり、一端側にナット１１４の本体捩子孔１１６に螺合する捩子部１３２を備え、他端側に捩子孔１３３を形成している。捩子孔１３３は、後述する止水栓５１に設けられたボルト５２と螺合する。ここで、止水栓５１のボルト５２は、必ずしも一種類のボルト径に形成されているわけではなく、現実の止水栓５１においては、区々様々なボルト径のボルト５２が使われている。そこで、様々な孔径の捩子孔１３３を有するアダプタ１３１を複数種類用意しておけば、各種ボルト径のボルト５２への対応が確実なものとなる。
【００１８】
アダプタ１３１のもう一つの多様化展開は、軸方向長さである。本実施の形態の引抜き工具セット１０１は、軸方向長さが異なる複数種類のアダプタ１３１を用意している。このような各種軸方向長さのアダプタ１３１が必要となる理由は、引張り工具１１１は、その使用に伴うワイヤ１１３の伸びによって、その全長が長くなってしまうことがあるので、これに対処するためである。本実施の形態の止水栓５１の取り外し方法は、詳細は後述するが、一つの止水栓５１に複数本の工具１１１を装着して同時に引っ張ることを特徴としており、この際、全ての工具１１１の全長が同一長さに揃っていることが求められる。これを実現するために、軸方向長さが異なる複数種類のアダプタ１３１を引張り工具セット１０１に用意しておき、アダプタ１３１を装着することによって、止水栓５１の取り外しに用いる全ての引張り工具１１１の全長を同一長さに揃えるわけである。
【００１９】
したがって、様々な軸方向長さ毎に、様々な孔径の捩子孔１３３を有する複数種類のアダプタ１３１が用意され、これらのアダプタ１３１が共に引張り工具セット１０１を構成することになる。
【００２０】
もっとも、引張り工具１１１は、製造当初からその全長が個々に異なる長さとなっているわけではない。一組の引張り工具セット１０１を構成する複数本の引張り工具１１１は、製造当初において、その全長が全て同一長さとなるように揃えられている。上記した軸方向長さが異なる複数種類のアダプタ１３１の話は、一組の引張り工具セット１０１をなす引張り工具１１１であっても、使用に伴うワイヤ１１３の伸びによってその全長が区々異なってしまうことへの対処について述べている。
【００２１】
ここで、本実施の形態の引抜き工具セット１０１を用いた止水栓５１の取り外し方法を説明する前に、止水栓５１の装着状態を図２ないし図５に基づき説明しておく。
【００２２】
図２に示すように、マンホール１の壁面２には、複数本の地下ケーブル１１が縦二列に並列配置されている。図３に示すように、これらの地下ケーブル１１は、マンホール１の壁面２に開口するケーブル用管路３１の管路口３２からマンホール１内に延びている。図２に示すように、管路口３２は、地下ケーブル１１の根元の部分で止水栓５１にシールされている。
【００２３】
図４に示すように、止水栓５１は、一対のプレート５４でゴム等の弾性変形部材５５をサンドイッチした構造のもので、中央部に地下ケーブル１１を通すことができるように割環状構造をなしている。したがって、止水栓５１は、図示しない割部を有しており、この割部から地下ケーブル１１を差し込むことができる。差し込まれた地下ケーブル１１は、止水栓５１の中央部分に位置付けられる。一対のプレート５４には、弾性変形部材５５を貫通させるようにして複数本のボルト５２が通され、ナット５３で止められている。一方のプレート５４に配したナット５３を締めこむと、一対のプレート５４が近接して弾性変形部材５５を潰し、その外径を増大させる。そこで、ナット５３がマンホール１の側を向くようにして割部から地下ケーブル１１を差し込んだ止水栓５１を管路口３２に差し込む（図５参照）。この状態でナット５３を締め付けると、近接する一対のプレート５４に弾性変形部材５５が潰されてその外径が広がり、管路口３２に止水栓５１が強固に装着される。これにより、地下ケーブル１１を通した状態の管路口３２を止水栓５１でシールすることができる。
【００２４】
図６は、本実施の形態の引抜き工具セット１０１を用いた止水栓５１の取り外し方法を示す斜視図である。交換等の地下ケーブル１１のメンテナンスに際しては、管路口３２から止水栓５１を取り外す必要がある。止水栓５１を取り外すには、まず、止水栓５１のボルト５２からナット５３を緩めて取り外す。その上で、止水栓５１の中心を挟んだ少なくとも二箇所のボルト５２に、引張り工具１１１を装着する。引張り工具１１１の装着は、止水栓５１のボルト５２にナット１１４の本体捩子孔１１６を捻じ込み固定することによって行なう。図６では、止水栓５１の中心を挟んだ二箇所のボルト５２のそれぞれに引張り工具１１１が装着されている状態を示している。
【００２５】
この時、止水栓５１のボルト５２のボルト径と引張り工具１１１のナット１１４の本体捩子孔１１６の孔径とが合致しない場合がある。このような場合には、止水栓５１のボルト５２のボルト径に適合する捩子孔１３３の孔径を有するアダプタ１３１を探し出し、見つけ出したアダプタ１３１を使用する全ての引張り工具１１１に装着する。
【００２６】
また、引張り工具１１１は、その使用によってワイヤ１１３が伸びてしまい、使用する引張り工具１１１の間で全長に不均一さが生ずることがある。このような場合には、そのような不均一さを解消できるような軸方向長さを有するアダプタ１３１を探し出し、見つけ出したアダプタ１３１を使用するそれぞれの引張り工具１１１に装着する。
【００２７】
本実施の形態の引張り工具セット１０１は、様々な軸方向長さ毎に、様々な孔径の捩子孔１３３を有する複数種類のアダプタ１３１を用意している。そこで、止水栓５１のボルト５２のボルト径に対する適合性と、使用する引張り工具１１１の間における全長の近接性とを考慮して、使用する個々の引張り工具１１１に最適なアダプタ１３１を選択する。
【００２８】
こうして、引張り工具１１１に求められる条件が整ったところで、止水栓５１の中心を挟んだ少なくとも二箇所のボルト５２に引張り工具１１１を装着し、個々の把持部１１２をまとめて掴んで同時に引っ張る。すると、止水栓５１の中心部分に引張り力が集中し、止水栓５１がその軸線に沿って真直ぐに引っ張られる。その結果、止水栓５１の引っ張り方向がその軸線に対してずれたときに生ずる、ケーブル用管路３１の内周と弾性変形部材５５との間の抵抗増大が抑制され、止水栓５１を容易かつ円滑に引き抜くことができる。したがって、本実施の形態によれば、ワイヤ１１３の一端側に輪形状の把持部１１２を有して他端側にナット１１４を固定するだけという軽量かつコンパクトな引抜き工具１１１からなる引抜き工具セット１０１のみを用いて、ケーブル用管路３１の管路口３２を塞ぐ止水栓５１を簡単に取り外すことができ、その作業性を大幅に向上させることができる。
【符号の説明】
【００２９】
１１    地下ケーブル
３１    ケーブル用管路
３２    管路口
５１    止水栓
５２    ボルト
１１１  引抜き工具
１１２  把持部
１１３  ワイヤ
１１４  ナット
１３１  アダプタ
１３３  捩子孔
【図１】
2012080687.tif 000003
【図２】
2012080687.tif 000004
【図３】
2012080687.tif 000005
【図４】
2012080687.tif 000006
【図５】
2012080687.tif 000007
【図６】
2012080687.tif 000008